(57)【要約】      （修正有）【課題】冷蔵室を冷却水の温度より低温に効率よく冷却でき、冷蔵室内を急速に冷却することも可能な飲料ディスペンサーを提供すること。【解決手段】冷却水Ｗが貯留された冷却水槽２と、冷却水Ｗを冷却するための冷媒管３と、飲料が流通する飲料管１３と、飲料管１３の先端に連結され、飲料注出ノズルと、冷却水槽２に並設された冷蔵室１と、冷蔵室１の第１壁部１ａの外側に取り付けられたペルチェ素子７と、冷蔵室の第２壁部１ｂの内側に取り付けられた熱交換器６と熱交換器６及びペルチェ素子７を冷却するための冷却管４と、冷却水Ｗを冷却管４に流通させるためのポンプ８と、冷却水槽２及び冷蔵室１が収容された筺体９とを備え、飲料注出ノズルが筺体９に取り付け固定され、筐体９には、ドア部１０が設けられ、ペルチェ素子７の吸熱側が冷蔵室１側となっており、冷却管４が、熱交換器６の内部を通過するように配されている飲料ディスペンサーＡ。【選択図】図１
2019104523.tif 000002
【特許請求の範囲】
【請求項１】
冷蔵室を有すると共に、飲料を注出可能な飲料ディスペンサーであって、
冷却水が貯留された冷却水槽と、
少なくとも一部が前記冷却水に浸漬され、該冷却水を冷却するための冷媒管と、
少なくとも一部が前記冷却水に浸漬され、前記飲料が流通する飲料管と、
該飲料管の先端に連結され、前記飲料を注出するための飲料注出ノズルと、
前記冷却水槽に並設された前記冷蔵室と、
該冷蔵室の第１壁部の外側に取り付けられたペルチェ素子と、
該冷蔵室の第２壁部の内側に取り付けられた熱交換器と、
両端が前記冷却水槽に取り付けられ、且つ、前記熱交換器及び前記ペルチェ素子を冷却するための冷却管と、
該冷却管に設けられ、前記冷却水を前記冷却管に流通させるためのポンプと、
少なくとも、前記冷却水槽及び前記冷蔵室が収容された筺体とを備え、
前記飲料注出ノズルが前記筐体から前方に突出するように該筺体に取り付け固定され、
前記筐体には、前記冷蔵室の開口部を開閉するためのドア部が設けられ、
前記ペルチェ素子の吸熱側が前記冷蔵室側となっており、
前記冷却管が、前記熱交換器の内部を通過するように配されている飲料ディスペンサー。
【請求項２】
前記冷却管が前記ペルチェ素子の放熱側に取り付けられている請求項１記載の飲料ディスペンサー。
【請求項３】
前記第１壁部と前記第２壁部とが異なる壁部であり、
前記熱交換器が前記ペルチェ素子よりも前記冷却水が流通する前記冷却管の上流側で冷却される請求項１又は２記載の飲料ディスペンサー。
【請求項４】
前記冷却管の分岐部及び合流部に連結され、前記熱交換器の内部を通過しない側管を更に有し、
前記分岐部には、三方弁が設けられ、
前記合流部が前記ペルチェ素子よりも上流側に設けられている請求項１〜３いずれか１項に記載の飲料ディスペンサー。
【請求項５】
前記冷蔵室には、該冷蔵室内の温度を検出するための温度センサーが設けられており、
前記三方弁が三方電磁弁であり、
前記温度センサーからの温度信号に応じて、前記三方電磁弁が切り替わる請求項４記載の飲料ディスペンサー。
【請求項６】
前記冷蔵室に挿入された容器の内部に連通させるための冷蔵飲料管と、
該冷蔵飲料管の先端に連結され、前記容器内に貯留されたサブ飲料を注出するための冷蔵飲料注出ノズルと、
を更に備え、
前記冷蔵飲料注出ノズルが前記筐体に取り付け固定されている請求項１〜５のいずれか１項に記載の飲料ディスペンサー。
【発明の詳細な説明】
【技術分野】
【０００１】
本発明は飲料ディスペンサーに関し、更に詳しくは冷蔵室を有すると共に、飲料を注出可能な飲料ディスペンサーに関する。
【背景技術】
【０００２】
店舗等においては、複数種類の飲料を冷却して提供するため、いわゆる飲料ディスペンサーが用いられている。
かかる飲料ディスペンサーは、一般に内蔵する冷却水槽に飲料管を浸漬させ、その飲料管に飲料を流通させて冷却するものである。
【０００３】
ところで近年、飲料ディスペンサーにおいては、複数種類の飲料を冷却するため、上記冷却水槽及び飲料管等とは別に、冷蔵庫を並設するものが開発されている。
【０００４】
例えば、冷蔵室を並設し、該冷蔵室内に熱交換器を設け、貯蔵する飲料を適宜交換することで、飲料種類の変更に対応する飲料ディスペンサーが知られている。
さらに、ビールサーバーに並設した冷蔵室に熱交換器を設けてウーロン茶の冷却装置としてビールと共にウーロン茶を冷却し、ウーロン茶を注出するためのピンチバルブを備えることで、ビールとウーロン茶を同時に提供することが可能なディスペンサーが知られている（特許文献１、特許文献２参照）。
【先行技術文献】
【特許文献】
【０００５】
【特許文献１】特許第３５０６９７６号公報
【特許文献２】特許第３５３２３７０号公報
【発明の概要】
【発明が解決しようとする課題】
【０００６】
特許文献１及び２の飲料ディスペンサーにおいては、冷蔵庫を冷却する熱交換器が冷却水で冷却されている。そのため、冷蔵室内を急速に冷却することができないという問題がある。
【０００７】
さらに、特許文献１及び２の飲料ディスペンサーにおいて、熱交換器による冷却の速度は上述したように冷却水の温度に依存するため、冷却水の温度以下に冷蔵室を冷却することができないという欠点がある。
【０００８】
本発明は、上述の課題を受けて開発されたものである。すなわち、本発明は冷蔵室を効率良く冷却でき、冷蔵室内を急速に冷却することも可能な飲料ディスペンサーを提供することを目的とする。
【課題を解決するための手段】
【０００９】
本発明は鋭意検討の結果、冷蔵室に熱交換器に加えて更にペルチェ素子を取り付けることにより、意外にも冷蔵室内を冷却水より低温に冷却でき、急速な冷却をすることが可能であることを見出した。
本発明はこの知見に基づく。
【００１０】
本発明は（１）、冷蔵室を有すると共に、飲料を注出可能な飲料ディスペンサーであって、冷却水が貯留された冷却水槽と、少なくとも一部が冷却水に浸漬され、冷却水を冷却するための冷媒管と、少なくとも一部が冷却水に浸漬され、飲料が流通する飲料管と、飲料管の先端に連結され、飲料を注出するための飲料注出ノズルと、冷却水槽に並設された冷蔵室と、冷蔵室の第１壁部の外側に取り付けられたペルチェ素子と、冷蔵室の第２壁部の内側に取り付けられた熱交換器と、両端が冷却水槽に取り付けられ、且つ、熱交換器及びペルチェ素子を冷却するための冷却管と、冷却管に設けられ、冷却水を冷却管に流通させるためのポンプと、少なくとも、冷却水槽及び冷蔵室が収容された筺体とを備え、飲料注出ノズルが筐体から前方に突出するように筺体に取り付け固定され、筐体には、冷蔵室の開口部を開閉するためのドア部が設けられ、ペルチェ素子の吸熱側が冷蔵室側となっており、冷却管が、熱交換器の内部を通過するように配されている飲料ディスペンサーに存する。
【００１１】
本発明は（２）、冷却管がペルチェ素子の放熱側に取り付けられている上記（１）記載の飲料ディスペンサーに存する。
【００１２】
本発明は（３）、第１壁部と第２壁部とが異なる壁部であり、熱交換器がペルチェ素子よりも前記冷却水が流通する冷却管の上流側で冷却される上記（１）又は（２）記載の飲料ディスペンサーに存する。
【００１３】
本発明は（４）、冷却管の分岐部及び合流部に連結され、熱交換器の内部を通過しない側管を更に有し、分岐部には、三方弁が設けられ、合流部がペルチェ素子よりも上流側に設けられている上記（１）〜（３）いずれか１つに記載の飲料ディスペンサーに存する。
【００１４】
本発明は（５）、冷蔵室には、冷蔵室内の温度を検出するための温度センサーが設けられており、三方弁が三方電磁弁であり、温度センサーからの温度信号に応じて、三方電磁弁が切り替わる上記（４）記載の飲料ディスペンサーに存する。
【００１５】
本発明は（６）、冷蔵室に挿入された容器の内部に連通させるための冷蔵飲料管と、冷蔵飲料管の先端に連結され、容器内に貯留されたサブ飲料を注出するための冷蔵飲料注出ノズルと、を更に備え、冷蔵飲料注出ノズルが筐体に取り付け固定されている上記（１）〜（５）のいずれか１つに記載の飲料ディスペンサーに存する。
【発明の効果】
【００１６】
本発明は、冷蔵室の第１壁部の内側に熱交換器を取り付けるだけでなく、あえて冷蔵室の第２壁部の外側にペルチェ素子を取り付けることにより、冷蔵室を冷却水よりも低温に冷却することが可能となる。
このとき、熱交換器が冷蔵庫内の粗熱を取り、ペルチェ素子がその状態からより低温へと冷却するため、冷蔵室内を効率よく冷却できると共に、急速に冷却することも可能となる。
また、筐体に冷蔵室の開口部を開閉するためのドア部が設けられているので、別の飲料（以下「サブ飲料」という。）が収容された容器（以下単に「容器」という。）を容易に冷蔵室内に出し入れできる。
【００１７】
本発明は、冷却管をペルチェ素子の放熱側に取り付けることにより、熱交換器とペルチェ素子を、同時に冷却することができる。このためエネルギー効率が優れる。
また、ペルチェ素子が冷却水により継続的に冷却されるので、冷蔵室を継続的に冷却水より低温に冷却することが可能となる。
【００１８】
本発明は、熱交換器がペルチェ素子よりも前記冷却水が流通する冷却管の上流側で冷却されることにより、ペルチェ素子よりも熱交換器が先に冷却されるので、効率良く粗熱を取ることができ、ペルチェ素子の冷却効果が粗熱により阻害されることを防止できる。
また、熱交換器とペルチェ素子とが異なる壁部に取り付けることにより、装置をコンパクトにすることができる。
【００１９】
本発明は、冷却管の分岐部及び合流部に連結され、熱交換器の内部を通過しない側管を更に有し、分岐部に、三方弁を設けることにより、冷却水により冷蔵室が温められることを防ぐことができる。
すなわち、冷蔵室が冷却水よりも低温に冷却されて以降は、熱交換器を用いる必要がないため、熱交換器を通過しない側管に冷却水を流通させることで、冷却水により冷蔵室が温められることを防ぐことができる。
なお、合流部がペルチェ素子よりも上流側に設けられているため、冷却水を側管に通す場合であってもペルチェ素子を継続して冷却することができる。
【００２０】
本発明は、冷蔵室には、冷蔵室内の温度を検出するための温度センサーが設けられており、三方弁が三方電磁弁であり、温度センサーからの温度信号に応じて、三方電磁弁が切り替わることにより、冷蔵室内が十分に冷却された場合、冷却水が側管に流通するように自動的に切り替えることができる。
【００２１】
本発明は、冷蔵室に挿入された容器の内部に連通させるための冷蔵飲料管と、冷蔵飲料管の先端に連結され、容器内に貯留されたサブ飲料を注出するための冷蔵飲料注出ノズルと、を更に備え、冷蔵飲料注出ノズルが筐体に取り付け固定されていることにより、容器内のサブ飲料を容易に注出することが可能となる。
【図面の簡単な説明】
【００２２】
【図１】図１は、飲料ディスペンサーの説明図を示す。
【図２】図２は、ペルチェ素子に取り付けられた冷却管の説明図を示す。
【図３】図３は、ポンプ、三方電磁弁及びペルチェ素子の制御と、冷却水の流通を説明するための模式図を示す。
【図４】図４は、冷蔵飲料注出ノズルを備えた飲料ディスペンサーの正面図を示す。
【発明を実施するための形態】
【００２３】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２４】
図１の（ａ）及び（ｂ）は、飲料ディスペンサーＡの説明図を示す。
（ａ）は正面から見た冷却水槽２と冷蔵室１の内部構造を模式的に示す説明図、（ｂ）は側面から見た冷蔵室１の内部構造を模式的に示す説明図である。
飲料ディスペンサーＡは、筐体９と、筐体９に収容された冷却水槽２と、冷却水槽２に並設され筐体９に収容された冷蔵室１を備える。
筐体９は冷却水槽２及び冷蔵室１下方の空間に、冷却水Ｗを冷却管４へ流通させるためのポンプ８、凝縮器１４、圧縮器１５及び外気を引き込むためのファン１６を収容している。
凝縮器１４、ファン１６、圧縮器１５及びポンプ８は、筐体９前側からこの順に配されている。
【００２５】
冷蔵室１は、冷却水槽２に並設して筐体９に収容されている。
冷蔵室１は前側に開口部を有する箱状であり、上下左右及び後方に壁部を有する。
これらの壁部の構造はアルミ製の板材と、その外側に設けられた断熱材とからなる。
飲料ディスペンサーＡにおいては、筐体９にドア部１０が開閉自在に設けられている。ドア部１０は、冷蔵室１前側の開口部を密閉するようになっている。
なお、ドア部１０も壁部と同じ構造からなる。
【００２６】
本実施形態にかかる飲料ディスペンサーＡにおいては、冷蔵室１の上側の壁部（以下「第１壁部１ａ」という。）には熱伝導体が埋設されている。
また第１壁部１ａの外側には該熱伝導体に当接するように、ペルチェ素子７が設けられている。
このとき、ペルチェ素子７は熱伝導体の側（すなわち、冷蔵室１の内部側）に吸熱側が向くように配置される。
ペルチェ素子７は、異なる２種類の金属を貼り合わせた平板状の基板であり、通電させることにより吸熱側から放熱側へと熱を移動させるものである。
また、ペルチェ素子７は、放熱側と一定の温度差となるように吸熱側を冷却する性質を有する。
ペルチェ素子７は放熱側を冷却することにより、より低温への冷却が可能となると共に、継続した冷却をすることができる。
これらのことから、冷蔵室１はペルチェ素子７に通電することによって、低温へと冷却される。
【００２７】
本実施形態において、冷蔵室１のドア部１０に対向する後側の壁部（以下「第２壁部１ｂ」という。）には、熱交換器６が設けられている。
熱交換器６は、中空四角柱状の冷却フィンからなり、後述する冷却管４が熱交換器６内部、具体的には中空四角柱状の中空部分を通過させる構造となっている。
これにより、熱交換器６は冷却水Ｗと冷蔵室１内の空気とで熱交換を行い、冷蔵室１内の粗熱を取って冷却する。
【００２８】
冷蔵室１において熱交換器６の冷蔵室１内部側には、冷蔵室内ファン１２が設けられている。
冷蔵室内ファン１２は熱交換器６側から空気を引き込み、冷蔵室１内へ拡散させる。
なお、熱交換器６及び冷蔵室内ファン１２は、空気の流れや冷却管４の配管を阻害しないように、それぞれカバーで覆われていても良い。
飲料ディスペンサーＡは、上述したように冷蔵室内ファン１２により熱交換器６からの冷気が冷蔵室１内に行き渡ることで、冷蔵室１内の粗熱を取り均一に冷却される。
【００２９】
上述したように飲料ディスペンサーＡにおいては、熱交換器６とペルチェ素子７とを備えることにより、熱交換器６が冷蔵室１内の粗熱を取り、ペルチェ素子７がその状態からより低温へ冷却するため、冷蔵室１内を効率よく、冷却水Ｗよりも低温に冷却することが可能となる。
また、急速に冷却することも可能となる。
なお、飲料ディスペンサーＡにおいては、熱交換器６とペルチェ素子７が異なる壁部に設けられていることにより、装置をコンパクトにできる。
【００３０】
飲料ディスペンサーＡにおいては、冷却水槽２に冷却水Ｗが貯留されている。また、冷却水槽２には冷媒が流通する冷媒管３の一部がコイル状となって浸漬されている。
また、冷媒管３の内側には、飲料管１３の一部（冷却される部分）が冷媒管３より小径のコイル状となって浸漬されている。
また、冷却水槽２に浸漬された飲料管１３のさらに内側には撹拌モーター１７が挿入されている。
撹拌モーター１７は、冷却水槽２内の冷却水Ｗを撹拌するようになっている。
【００３１】
冷却水槽２においては、凝縮器１４及び圧縮器１５により冷却された冷媒が冷媒管３に送流されることにより、冷却水槽２に貯留された冷却水Ｗは、冷媒管３を流通する冷媒により冷却される。
これにより、冷媒管３周囲の冷却水Ｗは、冷媒管３により十分に冷却され、例えば凍った状態となる。
そして、冷却水Ｗが冷却されることにより、飲料管１３内部を通過する飲料が冷却される。
なお、飲料ディスペンサーＡにおいては、撹拌モーター１７が冷却水Ｗを撹拌することで、冷媒管３による冷却水Ｗの冷却が均一に行われる。
【００３２】
冷却管４は、一端部が冷却水槽２の底部に取り付けられ、他端部が冷却水槽２の上部に取り付けられている。
冷却管４の一端部と他端部との間の中間部には、ポンプ８が設けられている。
なお、ポンプ８は冷却水槽２の外に配置される。
ポンプ８は、冷却水槽２と冷却管４との間で冷却水Ｗを循環させる。
すなわち、冷却水槽２内の冷却水Ｗは、冷却管４の一端部から冷却管４内に流入し、中間部を流通して、冷却管４の他端部から冷却水槽２内に流出される。
【００３３】
冷却管４の中間部は、上述した熱交換器６の内部を通過し、また、ペルチェ素子７の放熱側に取り付けられている。
これにより、飲料ディスペンサーＡにおいては、熱交換器６及びペルチェ素子７を同時に冷却することができ、エネルギー効率が優れる。
また、ペルチェ素子７が冷却水により継続的に冷却されるので、冷蔵室１を継続的に冷却水Ｗより低温に冷却することが可能となる。
さらに、熱交換器６がペルチェ素子７よりも冷却水Ｗが流通する冷却管４の上流側で冷却されることにより、ペルチェ素子７よりも熱交換器６が先に冷却されるので、効率良く粗熱を取ることができ、ペルチェ素子７の冷却効果が粗熱により阻害されることを防止できる。
【００３４】
図２の（ａ）、（ｂ）、（ｃ）及び（ｄ）は、ペルチェ素子７に取り付けられた冷却管４の説明図を示す。
（ａ）は側面から見た説明図であり、（ｂ）は上面からみた説明図である。
（ｃ）及び（ｄ）は他の実施形態にかかる説明図である。
冷却管４は、ペルチェ素子７の放熱側に取り付けられている。
具体的には、冷却管４の該取り付けられている部分は繰り返し蛇行しており、冷却水Ｗの流入口及び流出口が同じ側となるように配置されている。
そしてこの状態を維持するようにヒートシンク７ａに固定されている。
飲料ディスペンサーＡにおいては、ヒートシンク７ａがペルチェ素子７の放熱側に取り付けられている。
すなわち、冷却管４はヒートシンク７ａを介してペルチェ素子７の放熱側に取り付けられている。
【００３５】
なお、ペルチェ素子７の放熱側に取り付けられる部分の冷却管４の形状は、ヒートシンク７ａを介して十分にペルチェ素子７を冷却できるものであれば良く、（ｃ）に示すように冷却水Ｗの流入口及び流出口が異なる側に配置されていても良く、（ｄ）のように（ａ）に示した冷却管４の蛇行した部分の一部が交差していても良い。
【００３６】
飲料ディスペンサーＡにおいては、冷却管４がペルチェ素子７の放熱側に取り付けられていることにより、飲料ディスペンサーＡはペルチェ素子７を継続的に冷却し、ペルチェ素子７により継続的に冷蔵室１を冷却することが可能となる。
【００３７】
冷却管４は、中間部に分岐部４ａと合流部４ｂを備え、分岐部４ａと合流部４ｂとには、側管４ｄが連結されている。
すなわち、冷却管４は分岐部４ａで熱交換器６内部を通過する冷却管４（以下「本管４ｃ」ともいう。）と側管４ｄとの二股に分かれ、合流部４ｂで合流するようになっている。
このとき、合流部４ｂはペルチェ素子７よりも上流側に配置される。
これにより冷却水を側管４ｄに通す場合であってもペルチェ素子７を継続して冷却することができる。
【００３８】
冷却管４において分岐部４ａには、電磁三方弁が取り付けられている。
また、上述した冷蔵室１内部には温度センサー１１が取り付けられている。
飲料ディスペンサーＡにおいては、冷蔵室１内が所定の温度以下になったことを温度センサー１１が検出すると、本管４ｃへの冷却水Ｗの流通を止め、側管４ｄに冷却水Ｗを流通させるように三方電磁弁が制御される。
これにより、飲料ディスペンサーＡにおいては、冷蔵室１内が十分に冷却された場合、冷却水Ｗが側管４ｄに流通するように自動的に切り替えることができるので、効率よく冷蔵室１内の粗熱を取って、冷却水Ｗより低温に維持することができる。
【００３９】
飲料管１３は飲料が貯留された飲料タンク（図示しない）に接続されている。
さらに、飲料管１３は筐体９前方に突出して設けられた飲料注出ノズル５に接続されている（図４参照）。
このため、飲料ディスペンサーＡにおいては、飲料注出ノズル５を操作することによって飲料管１３を通じて冷却された飲料タンク内の飲料を外部に注出できる。
なお、上記飲料は、ビール等各種のものを好適に採用できる。
【００４０】
冷蔵室１は、サブ飲料を充填した容器を収納して用いられる。
飲料ディスペンサーＡにおいては、冷蔵室１が当該容器ごと収容できるので、冷蔵室１で冷却する飲料を、ドア部１０を開閉して容易に交換することができる。
【００４１】
図３は、ポンプ８、三方電磁弁及びペルチェ素子７の制御と、冷却水Ｗの流通を説明するための模式図を示す。
ここで、ポンプ８、三方電磁弁及びペルチェ素子７の制御と、冷却管４への冷却水Ｗの流通とについて述べる。
飲料ディスペンサーＡにおいて、冷蔵室が冷却されていない場合、まず、ペルチェ素子７に通電せずＯＦＦとし、ポンプ８をＯＮとして冷却水Ｗを、本管４ｃを通過し側管４ｄを通過しないように流通させる。
飲料ディスペンサーＡは、ペルチェ素子７に通電しないことで消費電力を抑え、熱交換機内部に配された本管４ｃを冷却水Ｗが流通することで、冷蔵室１の粗熱を取り大まかに冷却することができる。
【００４２】
冷蔵室１内の温度センサー１１が、冷蔵室１が第一所定温度以下になったことを検出した場合、ペルチェ素子７が通電されＯＮとし、かつ三方電磁弁が切り替えられ、冷却水Ｗを、本管４ｃを通過せず側管４ｄを通過するようにポンプ８により流通させる。
これにより、飲料ディスペンサーＡはペルチェ素子７のみにより冷却されることとなり冷蔵室１内を容易に低温に維持することができる。
すなわち、飲料ディスペンサーＡは冷蔵室１内が冷却水Ｗよりも低温となっている場合であっても、冷蔵室１内を冷却水Ｗが流通することがないため冷却水Ｗによって冷蔵室１内の温度が上昇することがない。
【００４３】
飲料ディスペンサーＡは、冷蔵室１内が第一所定温度よりも十分に低温となって第二所定温度以下となった場合には、ポンプ８による冷却水Ｗの流通及びペルチェ素子７の通電をいずれもＯＦＦとすることで、消費電力を抑制することができる。
第一所定温度と第二所定温度は、任意に設定できる。
【００４４】
以上、本発明の好適な実施形態について説明したが、本発明は上記実施形態に限定されるものではない。
【００４５】
第１壁部１ａと第２壁部１ｂを同一の壁面とし、ペルチェ素子７と熱交換器６を同一の壁面に設けても良い。
【００４６】
三方電磁弁による制御を温度センサー１１によるものとはせず、冷却水Ｗの流通開始から一定時間の経過による制御としても良い。
【００４７】
図４は、冷蔵飲料注出ノズル１８を備えた飲料ディスペンサーＡの正面図を示す。
冷蔵室１のドア部１０に、容器に接続し容器内のサブ飲料を注出するための冷蔵飲料注出ノズル１８を設けても良い。
【００４８】
具体的には、例えば容器がチューブを備えたバッグインボックスであれば、チューブポンプを利用することができる。
これにより、ドア部１０を開閉することなく容器内のサブ飲料を注出することが可能である。
【産業上の利用可能性】
【００４９】
本発明の飲料ディスペンサーＡは、冷却水Ｗによって飲料とペルチェ素子７を同時に冷却することができ、冷蔵室１を冷却水Ｗより低温に冷却することが可能であることにより、飲料を提供する店舗等において広く利用され得るものである。
【符号の説明】
【００５０】
Ａ・・・飲料ディスペンサー
１・・・冷蔵室
１ａ・・・第１壁部
１ｂ・・・第２壁部
２・・・冷却水槽
Ｗ・・・冷却水
３・・・冷媒管
４・・・冷却管
４ａ・・・分岐部
４ｂ・・・合流部
４ｃ・・・本管
４ｄ・・・側管
５・・・飲料注出ノズル
６・・・熱交換器
７・・・ペルチェ素子
７ａ，７ａ１,７ａ２，７ａ３・・・ヒートシンク
８・・・ポンプ
９・・・筐体
１０・・・ドア部
１１・・・温度センサー
１２・・・冷蔵室内ファン
１３・・・飲料管
１４・・・凝縮器
１５・・・圧縮器
１６・・・ファン
１７・・・撹拌モーター
１８・・・冷蔵飲料注出ノズル
【図１】
2019104523.tif 000003
【図２】
2019104523.tif 000004
【図３】
2019104523.tif 000005
【図４】
2019104523.tif 000006